(57)【特許請求の範囲】
【請求項１】
取り付け装置であって、
連結点の一方側から伸長した２つのロープ部であって、該連結点からはループ部も伸長し、該ループ部は前記連結点の他方側で伸長する、２つのロープ部と、
前記連結点とは異なる位置で前記ロープ部を連結する係止要素であって、前記ループ部及び該係止要素は、該係止要素が前記ループ部内に通された場合に該係止要素が前記取り付け装置を閉じ且つ当該取り付け装置が閉じることにより形成される閉ループ部の内側が張力を受けている場合に該係止要素により係止が確実になるような寸法を有する、係止要素と、
前記ループ部の閉鎖を提供する連結要素であって、該連結要素は、前記連結点で連結される２つのロープ部を受け入れるとともに、前記ループ部を調節するために前記２つのロープ部を摺動できるようにする、連結要素と、
を含み、
前記係止要素は前記ロープ部に沿って摺動でき、そのため当該取り付け装置により形成される閉ループ部を調節でき、
前記ループ部及び前記２つのロープ部は、同じロープによって一体形成されている、取り付け装置。
【請求項２】
前記係止要素は、前記２つのロープ部のそれぞれを受け入れる２つの貫通開口を含み、該貫通開口は、前記ロープ部上で前記係止要素が摺動できるような寸法を有して形成されている、請求項１に記載の装置。
【請求項３】
取り付け装置であって、
連結点の一方側から伸長した２つのロープ部であって、該連結点からはループ部も伸長し、該ループ部は前記連結点の他方側で伸長する、２つのロープ部と、
前記連結点とは異なる位置で前記ロープ部を連結する係止要素であって、前記ループ部及び該係止要素は、該係止要素が前記ループ部内に通された場合に前記取り付け装置を閉じ且つ当該取り付け装置が閉じることにより形成される閉ループ部の内側が張力を受けている場合に該係止要素により係止が確実になるような寸法を有する、係止要素と、
を含み、
前記係止要素は前記ロープ部に沿って摺動でき、そのため当該取り付け装置により形成される閉ループ部を調節でき、
前記２つのロープ部は前記連結点とは反対側の端部で互いに閉じている、取り付け装置。
【請求項４】
前記ロープ部は一体形成されている、請求項３に記載の装置。
【請求項５】
前記ロープ部は第２の連結領域で相互に連結されている、請求項３に記載の装置。
【請求項６】
前記２つのロープ部は前記第２の連結領域を越えて伸長し、さらに先で連結して補助的なループ部を共に形成する、請求項５に記載の装置。
【請求項７】
請求項１に記載の取り付け装置の使用であって、
前記係止要素は前記連結点から伸長する前記ループ部内に通され、
前記係止要素は前記取り付け装置により形成された前記閉ループ部を調節するために前記２つのロープ部に沿って摺動して前記内側に張力をかけ、前記係止要素は、前記連結点から伸長する前記ループ部に係止されて、前記取り付け装置が張力を受けている場合に前記取り付け装置の係止を確実にする、使用。
【発明の詳細な説明】
【技術分野】
【０００１】
本発明は取り付け装置（attachment  device）、具体的には繊維製のシャックル（textile  shackle）、留め具、ストラップ及びテンショナーの分野に関する。
【背景技術】
【０００２】
従来技術から取り付け装置、具体的には繊維製のシャックルが知られている。
【０００３】
特許文献１には、例えば、筒状の撚りロープでできた繊維製のシャックルが記載されている。当該シャックルは、前記ロープの第１の端部にループ部を含み、前記ロープの２つの部分（two  strands）から形成されるとともに、当該シャックルを固定状態で保持するために前記ループ部に挿入される球状部を前記ロープの第２の端部に含む。このシャックルは、とりわけ艤装（rigging）の分野に適用される。
【０００４】
既知の取り付け装置の別の例が特許文献２に記載されている。この文献に記載のシャックルは、２つのロープ要素が伸長する連結点に閉ループ部を備えるロープと、該ロープ要素のうちの一方の端部に位置するとともに、当該シャックルを固定状態で保持するために前記ループ部に挿入されるピンとを含む。
【先行技術文献】
【特許文献】
【０００５】
【特許文献１】仏国特許出願公開第２８９３３７８号明細書
【特許文献２】スイス国特許第１７０７３９号明細書
【発明の概要】
【発明が解決しようとする課題】
【０００６】
しかしながら、従来のシャックルでは、連結すべき２つの部位を隔てる距離がロープの長さによって左右され、また該距離を調節することができなかった。従って、そのようなシャックルを様々な使用の状況に適合させるのは困難である。
【課題を解決するための手段】
【０００７】
本明細書の全体において、「ロープ」とは任意の長くて柔軟性がある強固な部材（long,    flexible  strong  body）、具体的には撚線又は編組線を集合させて作られた天然又は合成の材料でできた任意のロープを好ましくは意味するが、必ずしもそれに限定されない。
【０００８】
本発明は従来技術の欠点がない取り付け装置に関する。
【０００９】
当該装置は、
連結点から伸長した２つのロープ部であって、該連結点からはループ部も伸長している、２つのロープ部と、
前記連結点とは異なる位置で前記ロープ部を連結する係止要素であって、該係止要素は、当該装置を閉じ且つ係止を確かなものにするために前記ループ部に挿入することができる、係止要素とを含む。
【００１０】
それに加えて、前記係止要素は前記ロープ部に沿って摺動可能ある。
【００１１】
下記の説明を読むことで容易に分かるように、提案する取り付け装置は調節可能であることに加えて、安価であるという利点が有する。
【図面の簡単な説明】
【００１２】
本発明の他の特徴、目的及び利点は、純粋に例示を目的とする非限定の下記の説明から明らかになる。下記の説明は添付の図面を参照しながら読むべきである。
【図１】図１は、本発明の第１の実施形態に係る取り付け装置を示す。
【図２】図２は、本発明の第２の実施形態に係る取り付け装置を示す。
【図３】図３は、本発明の第３の実施形態に係る取り付け装置を示す。
【図４】図４は、本発明の一実施形態に係る取り付け装置による単純な結び目の形成を示す。
【図５】図５ａ及び図５ｂは、本発明の一実施形態に係る取り付け装置による二重の結び目の形成を示す。
【図６】図６ａ及び図６ｂは、本発明の一実施形態に係る取り付け装置による、自己係止する結び目の形成を示す。
【発明を実施するための形態】
【００１３】
取り付け装置の原理
図１、図２及び図３は、異なる潜在的な実施形態に係る取り付け装置１０を示す。
【００１４】
取り付け装置１０は主にロープ１１と、それに取り付けられる調節・係止要素（adjusting  and  locking  element）１８とによって形成される。
【００１５】
ロープ１１は一方側で閉じてループ部１２を形成する。ループ部１２が閉じる連結点１３を越えた他方側では、ロープ１１は、調節・係止要素１８で連結される２つのロープ部１４及び１５によって伸長している。
【００１６】
調節・係止要素１８は、取り付け装置を、例えばシャックルとして用いるためにループ部１２に挿入して取り付け装置を閉じるための係止ピンを構成する。
【００１７】
そのために、この要素１８は、例えば筒状又は「ドッグボーン」状を有し、要素１８がループ部１２（図４）に挿入された場合にループ部１２に係止され、取り付け装置が閉じることによって形成されるループ部の内側が張力を受けるような寸法を有する。
【００１８】
要素１８はロープ部１４、１５に沿って調節可能であるという特性も有する。
【００１９】
そのために、要素１８は、２つのロープ部１４、１５をそれぞれ受け入れる２つの貫通孔２０、２１を有する。
【００２０】
これらの開口２０、２１は、例えば互いに平行である。これらの開口は、ユーザーが要素１８をロープ部１４及び１５上で摺動させることができるような寸法を有して形成される。取り付け装置１０が閉じて張力を受けているかどうかに関わらず、ロープ部１４、１５に沿って要素１８を摺動させることができる。
【００２１】
このように、装置１０の閉ループ部は調節可能であるため、取り付け装置１０を様々な使用状況に適合させることができる。
【００２２】
材料の例−構成の詳細
ロープ１１は任意の種類の材料で作ることができる。
【００２３】
例えば、ロープ１１は中空繊維又は植物繊維のロープでできている。このロープは金属繊維を含むこともできる。
【００２４】
ロープ１１はさらに、天然若しくは合成ゴム、皮革又はプラスチック、場合によっては金属部分を含む材料から作ることができる。
【００２５】
ロープ１１は円形断面又はリボンの形状を有することができる。
【００２６】
そのため、ロープ１１及びロープ部１４、１５はストラップ、ケーブル、ベルト又は「サンドウ（sandow）」とも呼ばれるテンショナーであり得る。
【００２７】
調節・係止要素１８も様々な種類の材料、例えば木、竹、アルミニウム、アルミニウム合金、スチール、ステンレススチール、プラスチック、ポリエステル又は炭素棒若しくは補強材、真鍮、銅、青銅等から作ることができる。
【００２８】
調節・係止要素１８は様々な種類の形を有することもできるが、細長いことが好ましい。
【００２９】
調節・係止要素１８は例えば円形断面を有し得るが、当然ながら他の断面（三角形、長方形、正方形等）を有することもできる。
【００３０】
取り付け装置１０は、ロープ部１４、１５に連続して取り付けられる複数の調節・係止要素１８を含むこともできる。
【００３１】
開口２０、２１は調節・係止要素１８が延びる主軸１９に対して垂直である。開口２０、２１は、ロープ部１４、１５に対して相補的な形状を有することが好ましい。開口２０、２１は、例えば円形、正方形、長方形等の断面を有する。開口２０、２１は、ロープ部１４、１５の一方向への摺動を防ぐために概して円錐台形のプロファイルを有することもできる。開口２０、２１の断面の寸法は、無負荷状態（unloaded）のロープ部１４、１５の断面の寸法以下であることが好ましい。「無負荷状態」とはロープ部１４、１５が制約を受けていない状態を意味する。ロープ部１４、１５が円形の断面を有する場合、開口２０、２１は、負荷がロープ部全体に亘って良好に分布するように、軸間の距離がロープ部１４、１５の直径の合計以下になるように離間されて組み立てられる。ロープ部１４、１５がリボンの形を有する場合、開口２０、２１は軸間の距離がロープ部１４、１５の厚さの合計以上になるように離間されて組み立てられる。第１のループ部１２の連結点１３は、例えばロープワーク（ropework）、接続、編み込み、圧接、接着、溶接又は切断等によって形成され、ループ部１２及びロープ部１４、１５は同じロープ１１によって一体形成されているか又はいくつかの個別のロープ要素によって形成されている。調節・係止要素１８から第１のループ部１２が外れるのを防止するために、第１のループ部１２の直径は調節・係止要素１８の延長（extension）以下であることが好ましい。
【００３２】
さらに、図３に示すように、取り付け装置１０は連結点１３に連結要素１６を含むことができる。連結要素１６はループ部１２の閉鎖を提供する。連結要素１６は該連結点１３で連結される２つのロープ分岐部を受け入れる開口１７を含む。この連結要素１６はロープ分岐部の摺動を可能にし、その結果、ループ部１２の調節を可能にする。連結要素１６の開口１７は、例えば円形断面を有する。この場合、開口１７の直径は無負荷状態のロープ１１の直径の合計以下であることが好ましい。ロープ１１は、例えば、連結要素１６がロープ１１から外れるまでロープ１１に沿って摺動するのを防ぐように構成された余分な厚さ（excess  thickness）をループ部１２に有する。
【００３３】
また、ロープ部１４及び１５を構成する２つのロープ分岐部（rope  branches）は、連結点１３とは反対側の端部において、図１に示すように連結点１３から自身まで一体であるか又はそれらが連結領域２６で連結されるかのいずれかによって互いに閉じている。
【００３４】
双方の場合において、結果として形成されるループ部２５は、調節・係止要素１８がロープ分岐部から外れて取り付け装置１０から外れるのを防止できる。ループ部２５は特定の結び目を形成するのに用いることもできる。
【００３５】
この連結領域２６における連結は、例えば裁縫、溶接、接着、熱収縮材材料のスリーブ、ホットメルト、圧着又は圧接又はロープワークによって行われる。
【００３６】
ロープ分岐部はこの連結領域２６を越えて少し遠くで連結されて、ループ部１２と同様の新たなループ部を共に形成することもできる。それにより、使用のための幾つかの可能性をユーザーに提供できる。それを仮定すると、例えば、取り付け装置１０は複数の調節・係止要素を含むことができる。
【００３７】
使用の例
既に説明した図４は、上記で説明した種類の取り付け装置の使用の第１の例を示す。
【００３８】
図５ａ及び図５ｂは二重の結び目（double  knot）の形成を示す。この二重の結び目を形成するために、係止要素１８によって閉じられたロープ部１４、１５及びループ部１２は、ループ部２５に第１のループ部１２が挿入されるように巻かれている。次いで、ループ部１２が再び係止要素１８を通過する。
【００３９】
図６Ａ及び図６ｂは自己係止する結び目（self-locking  knot）を示す。この自己係止する結び目を形成するために、係止要素１８によって閉じられたロープ部１４、１５は、第１のループ部１２がロープ部１４及び１５の間に挿入されて、その後にループ部２５に挿入されるように巻かれている。次いで、ループ部１２は係止要素１８を通過する。そのような自己係止する結び目は、負荷が重い場合であっても係止要素１８が摺動するのを防止する。
【００４０】
先に説明した各使用例において、装置１０が張力を受けている場合に装置１０の係止を確かなものにするのは、第１のループ部１２によってロープ部１４、１５に加えられるせん断力である。
【００４１】
上記で説明した取り付け装置１０は、摩擦リング又は固定されているか若しくは開いたプーリー（fixed  or  opening  pulley）に組み付けてホイストを形成することができる。そのようなホイストは、例えば海事分野又は建設業で用いることができる。
【００４２】
上記で説明した取り付け装置１０は、とりわけ海事分野で、例えばシャックルとして又は既存の金属シャックルに組み付けられる取り付け装置として用いることができる。
【００４３】
上記で説明した取り付け装置１０は衣料、ベルト、宝飾品、鞄等のための留め具としての機能も果たす。
【００４４】
取り付け装置１０はさらに医療分野で、例えば結紮糸（ligature）として用いることができる。
【図１】
0006606540.tif 000002
【図２】
0006606540.tif 000003
【図３】
0006606540.tif 000004
【図４】
0006606540.tif 000005
【図５ａ】
0006606540.tif 000006
【図５ｂ】
0006606540.tif 000007
【図６ａ】
0006606540.tif 000008
【図６ｂ】
0006606540.tif 000009